(57)【要約】【課題】容易に組み立てることができ、洗浄槽に対して扉材を確実に固定することができる食器洗浄機を提供する。【解決手段】食器洗浄機１は、扉材１４の洗浄槽側の面の上方部に配置された第１取付部材１５と、その下方に配置された第２取付部材１６とを備える。第１取付部材１５は、扉材１４の上方に配置された操作パネル１３の下面の第１係合孔１３ａに下側から係合する。第２取付部材１６の上部の係合部１８は、洗浄槽３の側壁の中央部の第２係合孔３ｅに係合し、第２取付部材１６の下部のネジ止め部１９は、洗浄槽３の下方部の固定孔３ｆにネジ止めされる。【選択図】図２
2016067538.tif 000002
【特許請求の範囲】
【請求項１】
食器の洗浄が行われる洗浄槽と、前記洗浄槽の前面側に取り付けられた扉材と、前記扉材の上側で前記洗浄槽に取り付けられた操作部材とを備えた食器洗浄機であって、
前記扉材の上方部に配置され、前記操作部材の下面に形成された第１係合孔に下側から係合する第１係合部材と、
前記扉材の前記洗浄槽側の面の上下方向中央部に配置され、前記洗浄槽の側面の上下方向中央部に形成された第２係合孔に係合して前記扉材が前記洗浄槽の前面から外れないように係止する係合突起を有し、前記洗浄槽に設けられた支持手段に上方から当接して前記扉材を落下しないように前記洗浄槽に係止する第２係合部材と、
前記扉材の前記洗浄槽側の面の下方部に配置され、前記洗浄槽の下方部に形成された固定部に固定される固定部材とを備え、
前記第１係合孔に前記第１係合部材を係合させた後、前記第１係合孔と前記第１係合部材との係合部を支点として前記扉材を前記洗浄槽に近づけるように回転させて、前記第２係合孔に前記第２係合部材を係合させ、前記支持手段に前記第２係合部材を上方から当接させた後、前記固定部に前記固定部材を固定して、前記扉材を前記洗浄槽に取り付けることを特徴とする食器洗浄機。
【請求項２】
前記第２係合部材と前記固定部材とが、一体的に構成されていることを特徴とする請求項１に記載の食器洗浄機。
【請求項３】
水平方向に並ぶように配置された２つの前記第２係合部材を備え、
２つの前記係合部材が一体的に構成されていることを特徴とする請求項１又は請求項２に記載の食器洗浄機。
【請求項４】
水平方向に並ぶように配置された２つの前記第２係合部材と、水平に並ぶように配置された２つの固定部材とを備え、
前記洗浄槽の左右の側壁は、前面の左右側縁から前方側に延設された一対の扉材取付部を有し、
前記第２係合部材は、前記扉材取付部の側面の中央部に形成された前記第２係合孔に側方から係合し、
前記固定部材は、前記扉材取付部の側面の下方部に形成された前記固定部に固定されることを特徴とする請求項１〜請求項３のいずれか１項に記載の食器洗浄機。
【発明の詳細な説明】
【技術分野】
【０００１】
本発明は、食器を洗浄する食器洗浄機に関する。
【背景技術】
【０００２】
従来、食器の洗浄が行われる洗浄槽と、洗浄槽の前面側に取り付けられた扉材と、扉材の上側で洗浄槽に取り付けられた操作部材とを備えたものが知られている。
【０００３】
この種の食器洗浄機では、操作パネル（操作部材）に形成された係合孔（第１係合孔）に係合するように、扉材の洗浄槽側の面の上方部に配置された上方取付金具（第１係合部材）と、洗浄槽の前面の左右側縁から前方側に延設された一対の扉材取付部の固定部に係合及び固定するように、扉材の洗浄槽側の面の下方部に配置された後方取付金具（固定部材）とを備え、それらの金具を用いて洗浄槽に扉材を取り付けたものがある（例えば、特許文献１参照。）。
【先行技術文献】
【特許文献】
【０００４】
【特許文献１】特開２０１２−１６３７１号公報
【発明の概要】
【発明が解決しようとする課題】
【０００５】
しかし、特許文献１に記載の食器洗浄機では、扉材の上方に配置された係合部材と下方に配置された固定部材のみによって洗浄槽に扉材が組み付けられているので、扉材の材質が重量のあるものであった場合、扉材がずり落ちてしまったり、撓んでしまったりするおそれがあった。
【０００６】
また、そのような問題の発生を防止するために、固定部材や係合部材を多数用いることも考えられるが、そのような構成とした場合には、扉材を洗浄槽に組み付ける作業が煩雑になってしまうおそれがあった。
【０００７】
本発明は以上の点に鑑みてなされたものであり、容易に組み立てることができ、洗浄槽に対して扉材を確実に固定することができる食器洗浄機を提供することを目的とする。
【課題を解決するための手段】
【０００８】
上記目的を達成するために、本発明の食器洗浄機は、食器の洗浄が行われる洗浄槽と、前記洗浄槽の前面側に取り付けられた扉材と、前記扉材の上側で前記洗浄槽に取り付けられた操作部材とを備えた食器洗浄機であって、前記扉材の上方部に配置され、前記操作部材の下面に形成された第１係合孔に下側から係合する第１係合部材と、前記扉材の前記洗浄槽側の面の上下方向中央部に配置され、前記洗浄槽の側面の上下方向中央部に形成された第２係合孔に係合して前記扉材が前記洗浄槽の前面から外れないように係止する係合突起を有し、前記洗浄槽に設けられた支持手段に上方から当接して前記扉材を落下しないように前記洗浄槽に係止する第２係合部材と、前記扉材の前記洗浄槽側の面の下方部に配置され、前記洗浄槽の下方部に形成された固定部に固定される固定部材とを備え、前記第１係合孔に前記第１係合部材を係合させた後、前記第１係合孔と前記第１係合部材との係合部を支点として前記扉材を前記洗浄槽に近づけるように回転させて、前記第２係合孔に前記第２係合部材を係合させ、前記支持手段に前記第２係合部材を上方から当接させた後、前記固定部に前記固定部材を固定して、前記扉材を前記洗浄槽に取り付けることを特徴とする。
【０００９】
このように、本発明の食器洗浄機の扉材は、上方部では第１係合部材によって操作部材を介して洗浄槽に係合し、中央部では第２係合部材によって洗浄槽に対する相対位置がずれないように係止され、下方部では固定部材によって洗浄槽に固定される。そのため、扉材の材質が重量のあるものであっても、扉材がずり落ちてしまったり、撓んでしまったりすることがない。
【００１０】
すなわち、本発明の食器洗浄機では、ネジ等による固定前の状態においても、洗浄槽の第２係合孔に係合突起が係合することによって、扉材が洗浄槽の前面から外れないようになる。同時に、洗浄槽に設けられた支持壁に上方から第２係合部材が当接することによって、扉材が落下しないようになる。そのため、扉材を洗浄槽に組み付ける作業も容易に行うことができる。
【００１１】
さらに、本発明の食器洗浄機では、扉材を洗浄槽に固定する際には、まず、上方で第１係合孔に第１係合部材が係合し、中央部で第２係合孔に第２係合部材が係合され、下方部で固定部に固定部材が固定される。この取り付け作業は、第１係合孔と第１係合部材との係合部を支点として、扉材の下端部を持って扉材を回転させることによって行われる。そのため、上下方向中央部にある第２係合孔と第２係合部材との間の前後方向の係合力に対し、てこの原理によって、小さな力で係合させることができる。
【００１２】
したがって、本発明によれば、容易に組み立てることができ、洗浄槽に対して扉材を確実に固定することができる。
【００１３】
本発明の食器洗浄機においては、第２係合部材と固定部材とが一体的に構成されていることが好ましい。
【００１４】
このように構成すれば、扉材に対して第２係合部材と固定部材とを一工程で取り付けることができるので、組み立て性が向上する。
【００１５】
本発明の食器洗浄機においては、水平方向に並ぶように配置された２つの第２係合部材を備え、２つの係合部材が一体的に構成されていることが好ましい。
【００１６】
このように構成すれば、２つの第２係合部材の係合部分同士の間隔を洗浄槽の幅に合わせた適切な間隔にすることが容易になる。その結果、洗浄槽に対する扉材の水平方向の相対位置を所定の位置としやすくなるので、組み立て性が向上する。
【００１７】
本発明の食器洗浄機においては、水平方向に並ぶように配置された２つの第２係合部材と、水平に並ぶように配置された２つの固定部材とを備え、洗浄槽の左右の側壁は、前面の左右側縁から前方側に延設された一対の扉材取付部を有し、第２係合部材は、扉材取付部の側面の中央部に形成された第２係合孔に側方から係合し、固定部材は、扉材取付部の側面の下方部に形成された固定部に固定されることように構成してもよい。
【図面の簡単な説明】
【００１８】
【図１】本発明の実施形態の食器洗浄機の構成を模式的に示す説明図。
【図２】図１の食器洗浄機の扉材の背面図。
【図３】図１の食器洗浄機の扉材と操作パネルとの係合部分を示す斜視図。
【図４】図１の食器洗浄機の扉材の第２係合部材の形状を示す斜視図。
【図５】図２の食器洗浄機の扉材の第２係合部材と洗浄槽の扉材取付部との係合状態を模式的に示すＡ−Ａ線断面図。
【図６】図１の食器洗浄機の扉材の第２係合部材と洗浄槽の扉材取付部との係合状態を模式的に示す斜視図。
【図７】図１の食器洗浄機の扉材と洗浄槽との下方部における固定部分を示す斜視図。
【発明を実施するための形態】
【００１９】
以下、図面を参照して、本発明の実施形態に係る食器洗浄機について説明する。
【００２０】
まず、図１を参照して、食器洗浄機１の概略構成について説明する。
【００２１】
図１に示すように、食器洗浄機１は、システムキッチンに組み込んで設置されるビルトイン式のものである。食器洗浄機１の筐体２前方には開口部が形成されており、筐体２の内部に収容されている洗浄槽３は、その開口部から出し入れ自在となっている。
【００２２】
洗浄槽３の底部側には、洗浄水を噴出する洗浄ノズル４が設けられている。洗浄槽３の背面側には、洗浄槽３内の食器を乾燥させるための乾燥用空気を導入する乾燥ダクト５及び乾燥ファン６が設けられている。
【００２３】
洗浄槽３の底部には、洗浄槽３内に残菜フィルタ７を介して連通する洗浄水の溜り部８が設けられている。洗浄槽３の底部下側には、洗浄ノズル４及び溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。また、洗浄槽３の内部には、食器を支持するための食器カゴ１０が着脱自在に取り付けられている。
【００２４】
洗浄ノズル４は、食器カゴ１０より下方に設置され、水平方向に長手の下ノズル１１と、下ノズル１１の長手方向中央部に立設されたセンターノズル１２とにより構成されている。
【００２５】
下ノズル１１は、その長手方向中央部で鉛直軸線回りに旋回しつつ食器カゴ１０に向けて洗浄水を噴出する。下ノズル１１は、洗浄・排水ポンプ９から供給される洗浄水の噴出反力によって旋回するようになっている。
【００２６】
センターノズル１２は、下ノズル１１と一体に回転する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器カゴ１０に向けて洗浄水が噴出される。
【００２７】
洗浄槽３は、内部で食器の洗浄を行う洗浄槽本体部３ａと、前面の左右側縁から前方側に延設された一対の板状の扉材取付部３ｂとを有している。洗浄槽本体部３ａの上方部は、前方に突出した形状になっており、食器の洗浄の開始及び停止等の操作を行うための操作パネル１３（操作部材）が固定されている。
【００２８】
扉材取付部３ｂは、洗浄槽本体部３ａの左右の側壁と一体的に構成されている。また、扉材取付部３ｂの前方の端部には、洗浄槽３から離れる側に延びるフランジ部３ｃが設けられ、そのフランジ部３ｃの中央部には、凹部Ｋが形成され、その凹部Ｋの上下の縁には、フランジ部３ｃの端部から洗浄槽３の後方側に延設された支持壁３ｄ（支持手段）が形成されている（図６参照。）
【００２９】
扉材１４は、洗浄槽３側の面に取り付けられた第１取付部材１５（第１係合部材）及び第２取付部材１６（図１では不図示。図２〜図７参照）によって、洗浄槽３の前面側であって操作パネル１３の下側となる位置に、操作パネル１３及び扉材取付部３ｂを介して、固定されている。
【００３０】
次に、図２〜図７を参照して、第１取付部材１５及び第２取付部材１６について説明する。
【００３１】
図２に示すように、扉材１４の洗浄槽３側の上方部には、一対の第１取付部材１５が取り付けられている。各々の第１取付部材１５は、扉材１４の側縁部からの距離がほぼ同一の距離となるようにして、各々の第１取付ネジ１７によって、扉材１４に固定されている。第１取付部材１５は、その上端部に、扉材１４の上縁から突出するように上方に向かって延設された第１係合突起１５ａを有している。
【００３２】
図３に示すように、洗浄槽３に扉材１４を組み付けた際には、第１係合突起１５ａは、扉材１４の上方に配置される操作パネル１３の下面部に形成された第１係合孔１３ａに、挿入するようにして係合する。
【００３３】
なお、本実施形態においては、第１係合部材１５の第１係合突起１５ａは、上方に突出する形状となっているが、第１係合突起１５ａの形状はこのような形状に限定されるものではなく、第１係合孔１３ａに係合することができる形状であればよい。例えば、フック形状であってもよい。
【００３４】
また、図２に示すように、扉材１４の洗浄槽３側には、第１取付部材１５の下方に、水平方向に並ぶようにして、一対の第２取付部材１６が取り付けられている。
【００３５】
各々の第２取付部材１６は、上方に設けられた係合部１８（第２係合部材）、下方に設けられたネジ止め部１９（固定部材）、及び、係合部１８とネジ止め部１９とを連結する連結部２０を有している。各々の第２取付部材１６は、係合部１８の鍔状の領域及び連結部２０のネジ止め部１９寄りの領域の２ヶ所で、２本の第２取付ネジ２１によって、扉材１４に固定されている。
【００３６】
一対の第２取付部材１６は、一対の第１取付部材１５に対応するように取り付けられている。そのため、扉材１４の洗浄槽３側の上下方向中央部には係合部１８が位置し、扉材１４の洗浄槽３側の下方部には、ネジ止め部１９が位置することになる。また、各々の第２取付部材１６は、扉材１４の側縁部からの距離がほぼ同一の距離となっている。
【００３７】
なお、本実施形態において係合部１８は、第２取付部材１６のネジ止め部１９と第１取付部材１５とのほぼ中央部に位置している。しかし、本発明における中央部とは、必ずしもそのような位置だけを指すものではなく、第１取付部材１５及びネジ止め部１９の両方から間隔を存した部分であればよい。
【００３８】
図４に示すように、係合部１８は、洗浄槽３側に向かって延設され、扉材１４の中心側に向かって爪が突出した形状の第２係合突起１８ａ（係合突起）を有している。また、係合部１８は、第２係合突起１８ａに隣接する位置であって扉材１４の中心側となる位置に、嵌合部１８ｂが形成されている。嵌合部１８ｂは、扉材１４の上下方向に延びる溝部として形成されている。
【００３９】
図５（図２のＡ−Ａ線断面図）に示すように、洗浄槽３に扉材１４を組み付けた際には、洗浄槽３の前面の左右側縁から前方側（扉材１４側）に延設された板状の扉材取付部３ｂは、係合部１８の嵌合部１８ｂに嵌め込まれる。その際、第２係合突起１８ａは、扉材取付部３ｂの外側の側面の中央部前方側に形成された第２係合孔３ｅに側方から係合する。
【００４０】
そのため、固定孔３ｆ（固定部）における固定作業が行われる前に扉材１４が洗浄槽本体部３ａの前面から外れるように移動しようとしても、第２係合突起１８ａが第２係合孔３ｅの縁に係止され、その移動が防止される。
【００４１】
図６に示すように、第２係合突起１８ａが第２係合孔３ｅに係合すると、第２取付部材１６の係合部１８が、扉材取付部３ｂのフランジ部３ｃの凹部Ｋに嵌め込まれた状態になる。
【００４２】
そのため、固定孔３ｆにおける固定作業が行われる前に扉材１４が下方向（落下する方向）に移動しようとしても、係合部１８の下面が支持壁３ｄに当接し、その移動が防止される。また、本実施形態では、凹部Ｋに、支持壁３ｄに対向する制限壁３ｇが設けられており、扉材１４の上方向への移動も抑制される。
【００４３】
図７に示すように、洗浄槽３に扉材１４を組み付けた際に、ネジ止め部１９は、一対の板状の扉材取付部３ｂの内側に位置する。扉材１４は、扉材取付部３ｂの下方部前方側に形成された固定孔３ｆを通るようにしてネジ止め部１９に固定ネジ２２を螺合することによって、洗浄槽３に固定される。
【００４４】
このような構成を備える扉材１４は、洗浄槽３に組み付ける際には、まず、第１取付部材１５の上端部の第１係合突起１５ａを、洗浄槽３の上方部に固定された操作パネル１３の下面に形成された第１係合孔１３ａに下側から挿入して、係合させる。
【００４５】
次に、第１係合部材１５ａと第１係合孔１３ａとの係合部を支点として、扉材１４の下端を持って洗浄槽３に近づけるように回転させるように押し込み、第２取付部材１６の係合部１８の嵌合部１８ｂに、洗浄槽３の前面の左右側縁から前方側（扉材１４側）に延設された板状の扉材取付部３ｂを嵌合させる。このとき、第２取付部材１６の係合部１８の第２係合突起１８ａは、図５に示すように先端の内寸ｘが扉材取付部３ｂの外寸ｙより第２係合孔３ｅの深さ２つ分だけ小さいため、扉材１４の中心から離れる方向に撓まされた後、扉材取付部３ｂの外側の側面に形成された第２係合孔３ｅに係合する。その結果、この段階で、扉材１４は洗浄槽３に対して前後方向及び上下方向に係止された状態になり、外れや落下が防止される。
【００４６】
最後に、扉材取付部３ｂの下方部に形成された固定孔３ｆを通るようにしてネジ止め部１９に固定ネジ２２を螺合させることによって、洗浄槽３に対する扉材１４の固定作業が完了する。
【００４７】
上記のように構成された本実施形態の食器洗浄機１において、扉材１４は、上方部では第１取付部材１５（第１係合部材）によって操作パネル１３（操作部材）を介して洗浄槽３に係合し、中央部では第２取付部材１６の係合部１８（第２係合部材）によって洗浄槽３に対する相対位置がずれないように係止され、下方部では第２取付部材１６のネジ止め部１９（固定部材）及び固定ネジ２２によって洗浄槽３に固定される。そのため、扉材１４の材質が重量のあるものであっても、扉材１４がずり落ちてしまったり、撓んでしまったりすることがない。
【００４８】
また、本実施形態の食器洗浄機１では、固定ネジ２２による固定前の状態においても中央部で洗浄槽３に対して扉材１４が係止されて外れや落下が防止された状態となるので、扉材１４を洗浄槽３に組み付ける作業も容易に行うことができる。
【００４９】
さらに、本実施形態の食器洗浄機１では、第１係合孔１３ａと第１係合部材１５ａとの係合部を支点として、扉材１４の下端を持って扉材１４を回転させるので、上下方向の中央部にある第２係合孔３ｅと係合部１８（第２係合部材）の第２係合突起１８ａとを、てこの原理によって、必要とされる係合力よりも小さな力で押すだけで係合させることができる。
【００５０】
したがって、本実施形態の食器洗浄機１は、容易に組み立てることができ、洗浄槽３に対して扉材１４を確実に固定することができる。
【００５１】
以上、図示の実施形態について説明したが、本発明はこのような形態に限られるものではない。
【００５２】
例えば、上記実施形態においては、支持手段として扉材取付部３ｂに支持壁３ｄを設け、その支持壁３ｄに扉材１４に取り付けられた第２取付部材１６の係合部１８を上方から当接させることによって、扉材１４の落下を防止している。しかし、第２係合孔の底面を支持手段とし、そこに第２係合部材の下面（例えば、上記実施例のように第２係合突起１８ａを設けた場合には、その第２係合突起１８ａの下面）を当接させて落下を防止するようにしてもよい。
【００５３】
また、上記実施形態では、係合部１８（第２係合部材）は上下方向に３分割され、その中央の部分に第２係合突起１８ａが設けられている。しかし、第２係合部材は、必ずしも分割する必要はない。第２係合部材を分割せずに一部材として構成し、係合突起を設けた場合には、係合突起の下面を第２係合孔の底面に当接させることで、落下を防止することができるようになる。
【００５４】
また、上記実施形態では、第２係合突起１８ａが外側、第２係合孔３ｅが内側となっているが、これを逆としてもよい。
【００５５】
また、上記実施形態においては、一対の第１取付部材１５及び一対の第２取付部材１６を備えることによって、第１係合部材、第２係合部材及び固定部材を２つずつ備えた構成としている。
【００５６】
しかし、本発明の食器洗浄機はそのような構成に限定されるものではなく、第１係合部材、第２係合部材又は固定部材のいずれかを１つだけ配置するようにしてもよいし、３つ以上配置するようにしてもよい。この場合においても、第２係合孔と第２係合突起との係合において、第２係合突起を撓ませてから係合するようにして係合力を必要とする構造であればよい。
【００５７】
また、上記実施形態においては、第２取付部材１６は、上方に設けられた係合部１８、下方に設けられたネジ止め部１９、及び、係合部１８とネジ止め部１９とを連結する連結部２０を有している。すなわち、第２係合部材と固定部材とが一体的に構成されている。
【００５８】
しかし、本発明の食器洗浄機はそのような構成に限定されるものではなく、第２係合部材と固定部材とを独立した部材として構成してもよい。その場合には、組み立て性は低下するが、各部材の配置の自由度が向上することによって、扉材を取り付け得る洗浄槽の種類が増加する。
【００５９】
また、第２係合部材と固定部材とだけではなく、第１係合部材も一体的に構成してもよいし、第１係合部材と第２係合部材又は固定部材のいずれかとを一体的に構成してもよい。
【００６０】
また、第２係合部材と固定部材とは、射出成形等によって初めから１つの部材として形成してもよいし、複数の部材を接続することによって１つの部材として構成してもよい。
【００６１】
また、水平方向に並ぶように配置された２つの第２係合部材を備え、２つの係合部材を一体的に構成するようにしてもよい。この場合には、２つの第２係合部材の係合部分同士の間隔を洗浄槽の幅に合わせた適切な間隔にすることが容易になる。その結果、洗浄槽に対する扉材の水平方向の相対位置を所定の位置としやすくなるので、組み立て性が向上する。
【符号の説明】
【００６２】
１…食器洗浄機、２…筐体、３…洗浄槽、３ａ…洗浄槽本体部、３ｂ…扉材取付部、３ｃ…フランジ部、３ｄ…支持手段、３ｅ…第２係合孔、３ｆ…固定孔（固定部）、３ｇ…制限壁、４…洗浄ノズル、５…乾燥ダクト、６…乾燥ファン、７…残菜フィルタ、８…溜り部、９…洗浄・排水ポンプ、１０…食器カゴ、１１…下ノズル、１２…センターノズル、１２ａ…下半部、１２ｂ…上半部、１３…操作パネル（操作部）、１３ａ…第１係合孔、１４…扉材、１５…第１取付部材（第１係合部材）、１５ａ…第１係合突起、１６…第２取付部材、１７…第１取付ネジ、１８…係合部（第２係合部材）、１８ａ…第２係合突起（係合突起）、１８ｂ…嵌合部、１９…ネジ止め部（固定部材）、２０…連結部、２１…第２取付ネジ、２２…固定ネジ。
【図１】
2016067538.tif 000003
【図２】
2016067538.tif 000004
【図４】
2016067538.tif 000005
【図３】
2016067538.tif 000006
【図５】
2016067538.tif 000007
【図６】
2016067538.tif 000008
【図７】
2016067538.tif 000009